(57)【要約】【解決手段】箱型に組み立てられた状態から、最初に、底部１に重なるように倒すことが可能な相対する一方の側壁３と、該一方の側壁に次いで、底部に重ねられた前記一方の側壁の上に重なるように後から倒すことが可能な相対するもう一方の側壁２とを有し、前記最初に倒される相対する一方の側壁には、ロック部材４が取り付けられており、更に、前記後から倒されるもう一方の側壁には、係合凹部２ｃが形成されている折り畳みコンテナーにおいて、ロック部材を、合成樹脂で一体成形したものである。【効果】従来の折り畳みコンテナーに取り付けられている、複数の部品から構成されているロック部材としての係合部材のように、係合部材を構成する部品間に緩みが生じ、係合部材としての機能が失われたり、係合部材が分解するというような問題を解決することができる。【選択図】図１１
2005298044.tif 000002
【特許請求の範囲】
【請求項１】
箱型に組み立てられた状態から、最初に、底部に重なるように倒すことが可能な相対する一方の側壁と、該一方の側壁に次いで、底部に重ねられた前記一方の側壁の上に重なるように後から倒すことが可能な相対するもう一方の側壁とを有し、前記最初に倒される相対する一方の側壁には、ロック部材が取り付けられており、更に、前記後から倒されるもう一方の側壁には、係合凹部が形成されている折り畳みコンテナーにおいて、ロック部材が、合成樹脂で一体成形されていることを特徴とする折り畳みコンテナー。
【請求項２】
前記ロック部材の係合杆に嵌合凸条を突設するとともに、前記ロック部材が取り付けられる側壁には、前記嵌合凸条が係合可能な係合孔が形成されていることを特徴とする請求項１に記載の折り畳みコンテナー。
【請求項３】
前記ロック部材が取り付けられる側壁には、前記ロック部材の水平方向の移動を阻止する移動阻止突条が突設されていることを特徴とする請求項２に記載の折り畳みコンテナー。
【請求項４】
前記ロック部材の係合杆が、前記ロック部材が取り付けられる側壁の左右端から突出しないように構成されていることを特徴とする請求項１〜請求項３のいずれか１項に記載の折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック機構により、ロックされるように構成されている。
【０００３】
一例として、長側壁に係合凹部を形成し、該係合凹部に、短側壁に上下動可能に配設した係合部材を係合させることにより、ロック機構を構成した折り畳みコンテナーが、特許文献１に開示されている。
【特許文献１】特開２００３−４０２６３号公報
【発明の開示】
【発明が解決しようとする課題】
【０００４】
従来の折り畳みコンテナーにおいては、短側壁に上下動可能なように配設された係合部材が、複数の部品から構成されているために、部品間に緩みが生じ、係合部材としての機能が失われたり、係合部材が分解するという問題があった。
【０００５】
また、従来の折り畳みコンテナーにおいては、短側壁に上下動可能なように配設された係合部材が、複数の部品から構成されているために、係合部材の組み立て作業、ひいては、折り畳みコンテナーの組み立て作業に時間が係るという問題があった。
【０００６】
本発明の目的は、上述した従来の折り畳みコンテナーが有する課題を解決することにある。
【課題を解決するための手段】
【０００７】
本発明は、上述した目的を達成するために、箱型に組み立てられた状態から、最初に、底部に重なるように倒すことが可能な相対する一方の側壁と、該一方の側壁に次いで、底部に重ねられた前記一方の側壁の上に重なるように後から倒すことが可能な相対するもう一方の側壁とを有し、前記最初に倒される相対する一方の側壁には、ロック部材が取り付けられており、更に、前記後から倒されるもう一方の側壁には、係合凹部が形成されている折り畳みコンテナーにおいて、第１には、ロック部材が、合成樹脂で一体成形されているものであり、第２には、前記ロック部材の係合杆に嵌合凸条を突設するとともに、前記ロック部材が取り付けられる側壁に、前記嵌合凸条が係合可能な係合孔を形成したものであり、第３には、前記ロック部材が取り付けられる側壁に、前記ロック部材の水平方向の移動を阻止する移動阻止突条を突設したものであり、第４には、前記ロック部材の係合杆が、前記ロック部材が取り付けられる側壁の左右端から突出しないように構成したものである。
【発明の効果】
【０００８】
ロック部材が、合成樹脂で一体成形されているので、従来の折り畳みコンテナーに取り付けられている、複数の部品から構成されているロック部材としての係合部材のように、係合部材を構成する部品間に緩みが生じ、係合部材としての機能が失われたり、係合部材が分解するというような問題を解決することができる。しかも、ロック部材を、側壁に取り付ける際には、ロック部材の煩わしい組み立て作業を必要とせず、側壁に簡単に取り付けることができる。
【０００９】
ロック部材の係合杆に嵌合凸条を突設するとともに、ロック部材が取り付けられる側壁に、嵌合凸条が係合可能な係合孔を形成したので、ロック部材の水平移動を阻止することができる。
【００１０】
ロック部材が取り付けられる側壁に、ロック部材の水平方向の移動を阻止する移動阻止突条を突設したので、ロック部材の水平移動を、確実に阻止することができる。
【００１１】
ロック部材の係合杆が、ロック部材が取り付けられる側壁の左右端から突出しないように構成したので、係合杆の後から倒される側壁への当接により、係合杆が損傷するようなことを防止することができるとともに、折り畳みコンテナーを箱型に組み立てる際に、後から倒される側壁の先に立てられた側壁方向への回動を、円滑に、且つ、迅速に行うことができる。
【実施例】
【００１２】
以下に、本発明の実施例について説明するが、本発明の趣旨を越えない限り、何ら、本実施例に限定されるものではない。
【００１３】
本発明の全体構成は、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａは、短辺側土手部１ｂより高く構成されている。
【００１４】
図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されており、また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１５】
次に、図１〜図４を用いて、長側壁２について説明する。
【００１６】
長側壁２は、横長の略長方形状の板状部２ａを有しており、長側壁２の両垂直端には、板状部２ａに略垂直で、且つ、長側壁２の内面（折り畳みコンテナーを図１に示されているように、箱型に組み立てた際に、箱型に組み立てられた折り畳みコンテナーの内側に位置する面）２ａ１方向に延在する、縦長の係合枠２ｂが形成されており、係合枠２ｂには、上下方向に所定の間隔を置いて、板状部２ａに略平行な嵌合孔２ｂ１が、適当数、形成されている。なお、本実施例には、２個の嵌合孔２ｂ１が形成されている例が示されている。
【００１７】
長側壁２に形成された係合枠２ｂには、係合枠２ｂの先端面２ｂ２側及び係合枠２ｂの内面２ｂ３側が解放された係合凹部２ｃが形成されており、また、係合枠２ｂの内面２ｂ３側には、後述するロック部材の係合杆を、係合凹部２ｃへ入り込ませるための導入口２ｄが形成されている。更に、係合凹部２ｃを形成する天部２ｃ１の導入口２ｄ側には、下方に延在する係止突起２ｅが垂設されている。
【００１８】
次に、図１、図２及び図５等を用いて、短側壁３について説明する。
【００１９】
短側壁３は、横長の略長方形状の板状部３ａを有しており、板状部３ａの上下端には、板状部３ａに略垂直で、且つ、外側（図１に示されているように、折り畳みコンテナーを箱型に組み立てた際に、折り畳みコンテナーの外側）に延在する上端水平リブ３ｂ及び下端水平リブ３ｃが、それぞれ形成されており、上端水平リブ３ｂは、板状部３ａの上部領域の幅より短く形成されており、上端水平リブ３ｂの左右端は、板状部３ａの上部領域の左右端３ａ１より内側に位置している。また、短側壁３の板状部３ａの外面（図１に示されているように、折り畳みコンテナーを箱型に組み立てた際に、折り畳みコンテナーの外側に位置する面）３ａ２の上部領域には、上端水平リブ３ｂに平行な一対の水平リブ３ｄ、３ｅが、所定の間隔を置いて形成されている。なお、便宜的に、上方に位置する水平リブ３ｄを上部水平リブと称し、下方に位置する水平リブ３ｅを下部水平リブと称する。
【００２０】
上部水平リブ３ｄは、上端水平リブ３ｂと略同じ長さであり、下部水平リブ３ｅは、板状部３ａの上部領域の左右端３ａ１まで延在している。また、板状部３ａの外面３ａ２には、上端水平リブ３ｂの両端と上部水平リブ３ｄの両端を連結するとともに、下部水平リブ３ｅに略垂直に当接する側端垂直リブ３ｆが形成されている。更に、板状部３ａの上部角部には、上端水平リブ３ｂと下部水平リブ３ｅと側端垂直リブ３ｆとにより、三方が囲まれた縦長の上部角部領域３ａ３が形成されており、この上部角部領域３ａ３には、上部角部領域３ａ３に対して垂直に、所定の間隔を置いて、適当数の嵌合突部３ｇが突設されている。なお、本実施例においては、上述した長側壁２の係合枠２ｂに穿設されている２個の嵌合孔２ｂ１に対応して、２個の嵌合突部３ｇが形成されており、嵌合突部３ｇは、長側壁２の係合枠２ｂに形成された嵌合孔２ｂ１に挿入できるように構成されている。
【００２１】
側端垂直リブ３ｆの板状部３ａの中央部寄りには、上部水平リブ３ｃと下部水平リブ３ｅとを架橋する一対の側端寄り垂直リブ３ｈが形成されており、また、側端垂直リブ３ｆと側端寄り垂直リブ３ｈとには、それぞれ、挿通孔３ｆ１と挿通孔３ｈ１が穿設されている。側端垂直リブ３ｆに穿設された挿通孔３ｆ１と側端寄り垂直リブ３ｈに穿設された挿通孔３ｈ１は、短側壁３を側方から見た場合に、略重なるように形成されている。
【００２２】
板状部３ａの上部角部に形成されている２つの上部角部領域３ａ３のうち、一方の上部角部領域３ａ３（本実施例においては、図５において、左側に位置する上部角部領域）付近に位置する上部水平リブ３ｄの先端と下部水平リブ３ｅの先端と側端垂直リブ３ｆの先端と側端寄り垂直リブ３ｈの先端とにより囲まれた領域には、上記の各先端を連結する架橋板３ｉが形成されており、また、架橋板３ｉには、係合孔３ｉ１が穿設されている。更に、架橋板３ｉが形成されている側端寄り垂直リブ３ｈの板状部３ａの中央部寄りに位置する板状部３ａの外面３ａ２には、上部水平リブ３ｄと下部水平リブ３ｅとを架橋するように、上部水平リブ３ｄと下部水平リブ３ｅより、高さ（板状部３ａの外面３ａ２からの突出量）の低い、移動阻止突条３ｊが、上部水平リブ３ｄ及び下部水平リブ３ｅに対して略垂直に形成されている。
【００２３】
先ず最初に、主として、図６及び図７を用いて、短側壁３に配設される合成樹脂で一体成形されたロック部材４について説明する。
【００２４】
ロック部材４は、上部水平部４ａ１と、下部水平部４ａ２と、上部水平部４ａ１の両端と下部水平部４ａ２の両端を連結する相対する側部垂直部４ａ３と、上部水平部４ａ１と下部水平部４ａ２と一対の側部垂直部４ａ３とにより形成された額縁状枠体の一方の開口を閉鎖する前板４ａ４とにより形成された箱状本体４ａを有しており、前板４ａ４の中央部には、前板４ａ４を、後方に凹ますことにより形成された把手用凹部４ｂが形成されている。
【００２５】
箱状本体４ａを構成する相対する側部垂直部４ａ３には、側部垂直部４ａ３に対して略垂直な係合杆４ｃが、それぞれ延設されている。係合杆４ｃは、側部垂直部４ａ３に対して略垂直な上部水平部４ｃ１と、同じく、側部垂直部４ａ３に対して略垂直な下部水平部４ｃ２と、上部水平部４ｃ１の先端と下部水平部４ｃ２の先端を連結する側部垂直部４ｃ３と、上部水平部４ｃ１と下部水平部４ｃ２と側部垂直部４ｃ３と箱状本体４ａを構成する側部垂直部４ａ３により形成された額縁状枠体の一方の開口を閉鎖するとともに、箱状本体４ａを構成する前板４ａ４と同じ側に位置する前板４ｃ４とにより構成されている。
【００２６】
係合杆４ｃを構成する上部水平部４ｃ１と前板４ａ４とにより形成される上部角部４ｃ５のうち、先端部に位置する部分には、係合杆４ｃの先端まで延在する傾斜面４ｃ６が形成されている。また、一方の係合杆４ｃの先端部付近に位置する前板４ｃ４には、垂直方向に延在する嵌合凸条４ｃ７が突設されている。更に、箱状本体４ａを構成する下部水平部４ａ２の裏面には、所定の間隔を置いて、互いに接近する方向に傾斜して延在する、換言すれば、下部水平部４ａ２の中央方向に傾斜して延在する弾性板材４ｄが形成されている。
【００２７】
係合杆４ｃの長さ（箱状本体４ａを構成する側部垂直部４ａ３から係合杆４ｃの先端までの長さ）Ｌ１は、短側壁３の上部角部領域３ａ３の先端と短側壁３の板状部３ａに突設された移動阻止突条３ｊとの距離Ｌ２より、若干、短く形成されており、後述するように、ロック部材４を、短側壁３に配設した際には、係合杆４ｃの先端が、短側壁３に形成された上部角部領域３ａ３の先端から突出しないように構成されている。箱状本体４ａの左右に延在する一対の係合杆４ｃの長さＬ１は、同じであり、従って、箱状本体４ａの長さＬ３は、ロック部材４の全体の長さＬ４から、係合杆４ｃの長さＬ１の２倍を引いた長さに形成されている。
【００２８】
ロック部材４の高さ（箱状本体４ａを構成する上部水平部４ａ１の上面から弾性板材４ｄの先端までの垂直距離）Ｈ１は、短側壁３の板状部３ａに形成された上部水平リブ３ｄと下部水平リブ３ｅとの間隔Ｄ１と略同じに形成されている。また、ロック部材４の厚さ（前板４ａ４に対して垂直方向の厚さ）Ｔ１は、短側壁３に形成されている上部水平リブ３ｄ及び下部水平リブ３ｅの高さ（短側壁３の板状部３ａの外面３ａ２から上部水平リブ３ｄ及び下部水平リブ３ｅの先端までの距離）Ｈ２より、若干、低く形成されており、ロック部材４を、短側壁３に配設した際には、ロック部材４が、短側壁３に形成された上端水平リブ３ｂや下端水平リブ３ｃや上部水平リブ３ｄや下部水平リブ３ｅや側端垂直リブ３ｆや側端寄り垂直リブ３ｈ等のリブの先端により形成される短側壁３の仮想平面を越えて、外側に突出しないように構成されている。
【００２９】
次に、主として、図８〜図１１を用いて、短側壁３へのロック部材４の取り付けについて説明する。
【００３０】
先ず最初に、嵌合凸条４ｃ７が突設されていない方のロック部材４の係合杆４ｃ（図６において、右側に位置する係合杆４ｃ）を、短側壁３の架橋板３ｉや移動阻止突条３ｊが形成されていない側（図５において、右側）に位置する側端寄り垂直リブ３ｈに穿設された挿通孔３ｈ１及び側端垂直リブ３ｆに穿設された挿通孔３ｆ１に挿入するとともに、図９に示されているように、ロック部材４の箱状本体４ａを構成する側部垂直部４ａ３を、架橋板３ｉが形成されていない側端寄り垂直リブ３ｈ（図５において、右側に位置する側端寄り垂直リブ３ｈ）に接近させる。
【００３１】
図９に示されているように、ロック部材４の箱状本体４ａを構成する側部垂直部４ａ３が、架橋板３ｉが形成されていない側端寄り垂直リブ３ｈに接近した時点においては、嵌合凸条４ｃ７が突設されている係合杆４ｃ（図６において、左側に位置する係合杆４ｃ）が、架橋板３ｉが形成されている側端寄り垂直リブ３ｈ（図５において、左側に位置する側端寄り垂直リブ３ｈ）に邪魔されることなく、短側壁３の板状部３ａに接近する方向に回動することができる。このように、嵌合凸条４ｃ７が突設されている係合杆４ｃを、短側壁３の板状部３ａに接近させた際には、短側壁３の板状部３ａの上記架橋板３ｉが形成されている側端寄り垂直リブ３ｈ付近に突設されている移動阻止突条３ｊは、嵌合凸条４ｃ７が突設されている係合杆４ｃの中程に位置するように構成されている。
【００３２】
次いで、ロック部材４を、架橋板３ｉが形成されている側端寄り垂直リブ３ｈ方向に移動させることにより、架橋板３ｉが形成されている側端寄り垂直リブ３ｈ穿設された挿通孔３ｈ１及び同じく架橋板３ｉが形成されている側端垂直リブ３ｆに穿設された挿通孔３ｆ１に挿入するとともに、係合杆４ｃの嵌合凸条４ｃ７を、係合杆４ｃや架橋板３ｉの弾性変形を利用して、架橋板３ｉに穿設されている係合孔３ｉ１に嵌合させる。このように、架橋板３ｉの係合孔３ｉ１に、嵌合凸条４ｃ７が突設されている係合杆４ｃの嵌合凸条４ｃ７が嵌合した時点においては、ロック部材４の架橋板３ｉ側に位置する側部垂直部４ａ３は、短側壁３の板状部３ａに突設されている移動阻止突条３ｊの板状部３ａの中央寄りの側面３ｊ１に、接近して位置するように構成されている。
【００３３】
上述したように、ロック部材４の架橋板３ｉ側に位置する側部垂直部４ａ３が、短側壁３の板状部３ａに突設されている移動阻止突条３ｊの板状部３ａの中央よりの側面３ｊ１に、接近して位置するように構成されているので、上述したように、短側壁３に形成されている架橋板３ｉの係合孔３ｉ１に、ロック部材４の係合杆４ｃに突設されている嵌合凸条４ｃ７を嵌合させることにより、ロック部材４の水平移動を阻止することに加えて、更に、確実に、ロック部材４の水平移動を阻止することができる。
【００３４】
上述したようにして、図１１に示されているように、ロック部材４を構成する箱状本体４ａの前板４ａ４及び係合杆４ｃの前板４ｃ４が、外側に向くように、ロック部材４が、短側壁３に取り付けられることになるが、ロック部材４が、短側壁３に取り付けられた際には、嵌合凸条４ｃ７が突設されている係合杆４ｃの先端部は、架橋板３ｉが形成されている側端寄り垂直リブ３ｈ穿設された挿通孔３ｈ１及び同じく架橋板３ｉが形成されている側端垂直リブ３ｆに穿設された挿通孔３ｆ１に挿入されているとともに、嵌合凸条４ｃ７が突設されていない係合杆４ｃの先端部も、同様に、架橋板３ｉが形成されていない側端寄り垂直リブ３ｈ穿設された挿通孔３ｈ１及び同じく架橋板３ｉが形成されていない側端垂直リブ３ｆに穿設された挿通孔３ｆ１に挿入されている。そして、嵌合凸条４ｃ７が突設されている係合杆４ｃの先端部及び嵌合凸条４ｃ７が突設されていない係合杆４ｃの先端部は、それぞれ、短側壁３の上端水平リブ３ｂと下部水平リブ３ｅと側端垂直リブ３ｆとにより囲まれた上部角部領域３ａ３内に位置しており、係合杆４ｃの先端が、短側壁３の板状部３ａの上部領域の左右端３ａ１を越えて、外側に突出しないように構成されている。なお、本実施例においては、ロック部材４の係合杆４ｃの先端部が、短側壁３の上部角部領域３ａ３に突設された２個の嵌合突部３ｇ間に位置するように構成されている。
【００３５】
次に、図３に示されているように、折り畳まれた状態の折り畳みコンテナーを、図１に示されているように、箱型に組み立てる作業について説明する。
【００３６】
先ず最初に、略水平状態の長側壁２を、垂直方向に回動させて、図２に示されているように、略垂直に立てる。次いで、底部１に重なるようにして折り畳まれている短側壁３を、垂直方向に回動させると、短側壁３の嵌合突部３ｇが突設されている上部角部領域３ａ３が、長側壁２に形成された係合枠２ｂに対向するように接近し、更に、短側壁３を、垂直方向に回動させると、短側壁３の上部角部領域３ａ３に突設されている嵌合突部３ｇの先端部が、長側壁２の係合枠２ｂに形成された嵌合孔２ｂ１に挿入される。この嵌合突部３ｇの嵌合孔２ｂ１への挿入過程と前後して、ロック部材４の係合杆４ｃの先端部に形成された傾斜面４ｃ６が、長側壁２の係合枠２ｂに形成されている係合凹部２ｃを構成する天部２ｃ１に垂設されている係止突起２ｅに当接することになる。その後、更に、短側壁３を、垂直方向に回動させると、図１２に示されているように、ロック部材４は、短側壁３の下部水平リブ３ｅに当接されている弾性板材４ｄの弾性変形による弾性力に抗して、下部水平リブ３ｅ方向に下動する。このロック部材４の下動により、係合杆４ｃは、係合凹部２ｃの導入口２ｄに入り、係合杆４ｃが、係止突起２ｅを過ぎた時点で、ロック部材４に配設されている弾性板材４ｄの復元力により、図１３に示されているように、係合杆４ｃが、係止突起２ｅの背後に位置する係合凹部２ｃの係合領域２ｃ２に入り込むとともに、短側壁３の上部角部領域３ａ３に突設された嵌合突部３ｇが、完全に、長側壁２の係合枠２ｂに形成された嵌合孔２ｂ１に挿入される。このようにして、折り畳まれた状態の折り畳みコンテナーが、箱型に組み立てられることになる。
【００３７】
なお、ロック部材４の係合杆４ｃの先端部に形成された傾斜面４ｃ６と当接する長側壁２の係合枠２ｂに形成されている係止突起２ｅには、傾斜面２ｅ１を形成することが好ましい。このように構成することにより、ロック部材４の係合杆４ｃの先端部に形成された傾斜面４ｃ６と長側壁２の係合枠２ｂに形成されている係止突起２ｅの傾斜面２ｅ１とが当接し、略垂直に立てられた長側壁２方向への短側壁３の回動により下動されるロック部材４の下動を円滑に行うことができる。
【００３８】
上述したように、折り畳まれた状態の折り畳みコンテナーを箱型に組み立てる際には、長側壁２に次いで、短側壁３を、略垂直に立てられた長側壁２方向へ回動させるだけで、ロック部材４の係合杆４ｃの先端部に形成された傾斜面４ｃ６が、長側壁２の係合枠２ｂに形成されている係合凹部２ｃを構成する天部２ｃ１に垂設されている係止突起２ｅに当接することにより、ロック部材４が、短側壁３の下部水平リブ３ｅに当接されている弾性板材４ｄの弾性変形による弾性力に抗して、下部水平リブ３ｅ方向に下動し、係合杆４ｃが、係止突起２ｅを過ぎた時点で、ロック部材４に配設されている弾性板材４ｄの復元力により、係合杆４ｃが、係合凹部２ｃの係合領域２ｃ２に入り込みロックされることになり、従って、ロック部材４の把手用凹部４ｂに手を入れて、作業者が、ロック部材４を下方に移動させる必要はない。
【００３９】
上述したように、箱型に組み立てられた状態から、短側壁３に、短側壁３を底部１方向に倒すような外力が加わっても、短側壁３に取り付けられたロック部材４の係合杆４ｃが、長側壁２に形成された係合凹部２ｃの導入口２ｄに突設された係止突起２ｅに当接し、短側壁３の底部１方向への回動が阻止されることになる。
【００４０】
また、ロック部材４が、短側壁３に取り付けられた際には、上述したように、係合杆４ｃの先端が、短側壁３の板状部３ａの上部領域の左右端３ａ１を越えて、外側に突出しないように構成されているので、折り畳まれた状態の折り畳みコンテナーを、箱型に組み立てる作業の際には、先に、略垂直に立てられた長側壁２の板状部２ａの内面２ａ１には、垂直方向に回動する短側壁３の板状部３ａの上部領域の左右端３ａ１が当接し、ロック部材４の係合杆４ｃの先端が当接するようなことはないので、ロック部材４の係合杆４ｃの長側壁２への当接により、係合杆４ｃが損傷するようなことを防止することができる。
【００４１】
また、ロック部材４が、短側壁３に取り付けられた際には、係合杆４ｃの先端が、短側壁３の板状部３ａの上部領域の左右端３ａ１を越えて、外側に突出しないように構成されているので、長側壁２が、交差リブ等により形成されており、長側壁２に透孔や凹部が存在する場合にも、係合杆４ｃの先端部が、長側壁２に形成されている透孔や凹部に嵌まり込んで、短側壁３の垂直方向への回動が阻止されるようなことを防止することができる。
【００４２】
図１に示されているように、箱型に組み立てられた折り畳みコンテナーを、図３に示されているように、折り畳むには、先ず最初に、ロック部材４の把手用凹部４ｂに手を入れて、作業者が、ロック部材４を、下部水平部４ａ２に形成された弾性板材４ｄの弾性力に抗して下動させて、ロック部材４の係合杆４ｃを、長側壁２に形成された係合凹部２ｃの係合領域２ｃ２から排出させて、係合杆４ｃを、導入口２ｄに突設された係止突起２ｅの下端以下に位置させる。次いで、短側壁３を、底部１方向に倒して、底部１に重ねる。次いで、長側壁２を底部１方向に倒して、底部１に重ねられている短側壁３の上に重ねることにより、箱型に組み立てられた折り畳みコンテナーを、折り畳むことができる。
【００４３】
上述したように、箱型に組み立てられた状態から、先に倒される短側壁３に取り付けられるロック部材４を、合成樹脂で一体成形したことにより、上述した従来の折り畳みコンテナーに取り付けられている、複数の部品から構成されているロック部材としての係合部材のように、係合部材を構成する部品間に緩みが生じ、係合部材としての機能が失われたり、係合部材が分解するというような問題を解決することができる。
【００４４】
また、ロック部材４を、合成樹脂で一体成形したことにより、ロック部材４の組み立て作業を省略することができ、ひいては、折り畳みコンテナーの組み立て作業の作業効率を向上させることができる。
【００４５】
更に、ロック部材４の箱状本体４ａを構成する下部水平部４ａ２の裏面に形成されている弾性板材４ｄが、互いに接近する方向に傾斜して延在する、換言すれば、下部水平部４ａ２の中央方向に傾斜して延在するように形成されているので、嵌合凸条４ｃ７が突設されていない方のロック部材４の係合杆４ｃを、短側壁３の架橋板３ｉや移動阻止突条３ｊが形成されていない側に位置する側端寄り垂直リブ３ｈに穿設された挿通孔３ｈ１及び側端垂直リブ３ｆに穿設された挿通孔３ｆ１に挿入する作業に際に、弾性板材４ｄの先端が、側端寄り垂直リブ３ｈに当接し損傷するようなことを防止することができる。
【図面の簡単な説明】
【００４６】
【図１】図１は、本発明の折り畳みコンテナーが箱型に組み立てられた状態の斜視図である。
【図２】図２は、本発明の折り畳みコンテナーの組み立て途中の斜視図である。
【図３】図３は、本発明の折り畳みコンテナーの折り畳まれた状態の斜視図である。
【図４】図４は、本発明の折り畳みコンテナーの長側壁等の部分拡大斜視図である。
【図５】図５は、本発明の折り畳みコンテナーの短側壁の部分斜視図である。
【図６】図６は、本発明の折り畳みコンテナーを構成するロック部材の斜視図である。
【図７】図７は、本発明の折り畳みコンテナーを構成するロック部材の背後からの斜視図である。
【図８】図８は、ロック部材の短側壁への取り付けを説明するための本発明の折り畳みコンテナーの短側壁とロック部材の水平断面図である。
【図９】図９は、ロック部材の短側壁への取り付けを説明するための図８と同様の本発明の折り畳みコンテナーの短側壁とロック部材の水平断面図である。
【図１０】図１０は、ロック部材の短側壁への取り付けを説明するための図８と同様の本発明の折り畳みコンテナーの短側壁とロック部材の水平断面図である。
【図１１】図１１は、ロック部材が取り付けられた状態の本発明の折り畳みコンテナーの短側壁の部分斜視図である。
【図１２】図１２は、ロック部材のロック作業を説明するための本発明の折り畳みコンテナーの長側壁等の部分拡大斜視図である。
【図１３】図１３は、ロック部材のロック作業を説明するための図１２と同様の本発明の折り畳みコンテナーの長側壁等の部分拡大斜視図である。
【符号の説明】
【００４７】
１・・・・・・・・・・・・・・・・・・・・底部
２・・・・・・・・・・・・・・・・・・・・長側壁
２ｂ・・・・・・・・・・・・・・・・・・・係合枠
２ｃ・・・・・・・・・・・・・・・・・・・係合凹部
３・・・・・・・・・・・・・・・・・・・・短側壁
３ｇ・・・・・・・・・・・・・・・・・・・嵌合突部
４・・・・・・・・・・・・・・・・・・・・ロック部材
４ｃ・・・・・・・・・・・・・・・・・・・係合杆
【図１】
2005298044.tif 000003
【図２】
2005298044.tif 000004
【図３】
2005298044.tif 000005
【図４】
2005298044.tif 000006
【図５】
2005298044.tif 000007
【図６】
2005298044.tif 000008
【図７】
2005298044.tif 000009
【図８】
2005298044.tif 000010
【図９】
2005298044.tif 000011
【図１０】
2005298044.tif 000012
【図１１】
2005298044.tif 000013
【図１２】
2005298044.tif 000014
【図１３】
2005298044.tif 000015